(57)【要約】      （修正有）【課題】各電気機器毎の電力消費状況を把握する技術を提供する。【解決手段】マルチソケット用電気検出付き電源コンセント装置は、複数のコンセント１０３１、１０３２、１０３３、１０３４と、複数の電流検出手段１０５１、１０５２、１０５３、１０５４と、電圧検出手段１０７と、処理手段１０１と、出力手段１１０とを備える。電流検出手段１０５１、１０５２、１０５３、１０５４が各コンセント１０３１、１０３２、１０３３、１０３４にそれぞれ設けられ、各コンセント１０３１、１０３２、１０３３、１０３４毎の電流値を検出し、電圧検出手段１０７が電圧値を検出する。処理手段１０１は、電圧値及びこれらの電流値に基づいて、各コンセント１０３１、１０３２、１０３３、１０３４毎の電力消費データを得る。【選択図】図１Ａ
2011258174.tif 000002
【特許請求の範囲】
【請求項１】
電源の入力電力を受けて、接続された少なくとも１つの電気機器に電力を供給する複数のコンセントと、
前記複数のコンセントにそれぞれ接続され、前記複数のコンセントの個々の電流値を検出する複数の電流検出手段と、
前記電流検出手段に電気的に接続され、前記電流値を受信するとともに、前記電流値を処理して前記複数のコンセントの個々の電力消費データを得る処理手段と、
前記電流検出手段と前記処理手段との間に接続され、１つの前記処理手段で、前記複数のコンセントの個々の電流値を処理可能となるように、前記処理手段に前記電流値を選択的に伝送する切り替え手段と、
前記処理手段に接続され、前記処理手段から伝送された前記電力消費データを受信するとともに、前記電力消費データを出力表示させる出力手段とを備え、
前記複数のコンセントの個々の電流値は、前記切り替え手段により選択的に伝送され、１つの前記処理手段で前記電流値及び電圧値を処理し、前記コンセントの個々に対応する前記電力消費データを得ることを特徴とするマルチソケット用電気検出付き電源コンセント装置。
【請求項２】
前記電力消費データは、電流、電圧、ワット数、皮相電力、無効電力、給電周波数、パワー係数及び給電時間の１種又は２種以上の組み合わせであることを特徴とする請求項１に記載のマルチソケット用電気検出付き電源コンセント装置。
【請求項３】
前記出力手段は、前記電力消費データを受信して表示するための表示手段であることを特徴とする請求項１または２に記載のマルチソケット用電気検出付き電源コンセント装置。
【請求項４】
前記出力手段は、少なくとも１つの電子装置と通信を行ない、前記電子装置に前記電力消費データを伝送するための通信手段であることを特徴とする請求項１または２に記載のマルチソケット用電気検出付き電源コンセント装置。
【請求項５】
前記切り替え手段は、切り替えスイッチまたはマルチプレクサ等価回路のいずれかであって、
前記電流値の伝送の切り替えを行うことを特徴とする請求項１ないし４のいずれかに記載のマルチソケット用電気検出付き電源コンセント装置。
【請求項６】
さらに、前記処理手段に接続され、ユーザが入力操作を行なうための入力手段を備えることを特徴とする請求項１ないし５のいずれかに記載のマルチソケット用電気検出付き電源コンセント装置。
【請求項７】
さらに、前記電源から入力された電圧値を検出するとともに、前記処理手段に前記電圧値を伝送する電圧検出手段を備えることを特徴とする請求項１ないし６のいずれかに記載のマルチソケット用電気検出付き電源コンセント装置。
【請求項８】
少なくとも１つの電気機器を接続するための複数のコンセントを有し、電源からの電力を受ける電源コンセント装置の電気検出方法であって、
前記電源の電圧値を検出し、前記複数のコンセントの個々の電流値を検出するステップと、
前記電流値の処理手段への伝送の切り替えを行うステップと、
前記電圧値及び前記電流値に基づいて、前記複数のコンセントの個々の電力消費データを得るステップと、
出力手段に前記電力消費データを伝送して出力または表示させるステップと、
を含むことを特徴とする電源コンセント装置の電気検出方法。
【請求項９】
前記出力手段は、前記電力消費データを受信して表示するための表示手段であることを特徴とする請求項８に記載の電源コンセント装置の電気検出方法。
【請求項１０】
前記出力手段は、ユーザーが予め設けられた電子装置に前記電力消費データを伝送するための通信手段であることを特徴とする請求項８に記載の電源コンセント装置の電気検出方法。
【発明の詳細な説明】
【技術分野】
【０００１】
本発明は、電源コンセント装置及び電源コンセント装置の電気検出方法に係り、特に、マルチソケット用電気検出付き電源コンセント装置及びかかる電源コンセント装置の電気検出方法に関するものである。
【背景技術】
【０００２】
科学技術の進歩に伴い、日常生活において電気を必要とする電気機器が益々多様化されている。これにより、住宅やオフィスビルに予め設けられたコンセントの数が足りなくなる、或いは、距離が大きく離れている等の問題が度々発生するようになった。電源コンセント装置は、このようなニーズに応じて開発され、ユーザが、より多くの電気機器を接続する事を可能にすると共に、接続コードの長さを延長することが可能となり、コンセントケーブルの整理や管理が行ない易くなった。
【０００３】
また、従来の電源コンセント装置は、一般的にコンセントの使用距離や数を増やす機能のみを提供するものであり、電力消費状況の検出表示といった機能までは付加されていなかった。そこで、一部のユーザによる電力の消費状況を把握したいとのニーズに応え、総電力消費状況の表示機能を有する電源コンセント装置が開発されている。
【発明の概要】
【発明が解決しようとする課題】
【０００４】
しかしながら、一般的に電源コンセントには、複数の電気機器が接続され、また、各電気機器毎の電力負荷や電力消費状況はそれぞれ異なっている。ところが、従来の総電力消費状況を表示する機能を有した電源コンセント装置は、各電気機器毎の電力消費状況を検出する機能を有していない為、ユーザは、各電気機器毎の電力消費状況を把握する事ができず、効率的に制御する事もできない。
【０００５】
本発明は、前記の課題に鑑みてなされたものであり、電源コンセント装置の各コンセントに電流検出手段を設けることにより、各コンセントの個々の電流値をそれぞれ検出すると共に、ユーザにより管理運用されるように各コンセントに対応する電力消費データを処理し、実用価値を向上させた電源コンセント装置及びかかる電源コンセント装置の電気検出方法を提供することにある。
【課題を解決するための手段】
【０００６】
本発明によるマルチソケット用電気検出付き電源コンセント装置（以下、単に「電源コンセット装置」とも言う。）は、複数のコンセントと、複数の電流検出手段と、処理手段と、切り替え手段と、出力手段とを備える。
【０００７】
前記複数のコンセントは、電源の入力電力を受けて、接続された少なくとも１つの電気機器に電力を供給する。前記電流検出手段は、前記複数のコンセントにそれぞれ接続され、前記複数のコンセントの個々の電流値を検出する。
【０００８】
前記処理手段は、前記切り替え手段に接続され、前記電流値を受信するとともに、前記電流値を処理して前記複数のコンセントの個々の電力消費データを得る。前記電力消費データは、電流、電圧、ワット数、給電周波数、パワー係数及び給電時間などを含む。
【０００９】
前記切り替え手段は、前記電流検出手段と前記処理手段との間に接続され、前記処理手段に電流値を選択的に伝送する。前記出力手段は、前記処理手段に接続され、前記処理手段から伝送された前記電力消費データを受信するとともに、前記電力消費データを出力表示させる。前記出力手段は、表示手段または通信手段であり、前記表示手段は、前記電力消費データを表示し、前記通信手段は、電子装置に電力消費データを伝送する。
【００１０】
また、前記電源コンセント装置は、さらに、電圧検出手段と保護手段とを備える。前記電圧検出手段は、電源から入力された電圧値を検出するとともに、前記処理手段に電圧値を伝送する。
【００１１】
本発明による電源コンセント装置の電気検出方法は、少なくとも１つの電気機器を接続するための複数のコンセントを有し、電源からの電力を受ける電源コンセント装置の電気検出方法であって、前記電源の電圧値を検出し、前記複数のコンセントの個々の電流値を検出することと、前記電圧値及び前記電流値に基づいて、前記複数のコンセントの個々の電力消費データを得ることと、出力手段に前記電力消費データを伝送して、出力または表示させることとを含む。前記出力または表示は、前記電力消費データを表示すること、或いは、ユーザが設定した電子装置に前記電力消費データを伝送することなどを含む。
【００１２】
電源コンセント装置の各コンセントに電流検出手段をそれぞれ設けることで、コンセントごとの電流値が検出され、その電流値を処理手段に伝送して電圧値とともに演算することにより、コンセントのそれぞれの電力消費データが得られる。これにより、電源コンセント装置の整理や管理を行ない易くなり、電源コンセント装置の利便性及び実用価値をより向上させることができる。
【００１３】
上述の概略の説明および以下に記載する実施例は、いずれも本発明の技術手段及び効果を説明するためのものであり、下記の実施例及び図面は、参考及び説明のみに使われ、特許請求の範囲に記載の発明を限定的に解釈するものではない。
【図面の簡単な説明】
【００１４】
【図１Ａ】本発明に係るマルチソケット用電気検出付き電源コンセント装置の実施例を示すブロック図である。
【図１Ｂ】本発明に係るマルチソケット用電気検出付き電源コンセント装置の他の実施例を示すブロック図である。
【図２】本発明に係る電源コンセント装置の電気検出方法の実施例を示すフローチャートである。
【発明を実施するための形態】
【００１５】
図１Ａは、本発明に係るマルチソケット用電気検出付き電源コンセント装置の実施例を示すブロック図である。図１Ａに示すように、電源コンセント装置は、処理手段１０１と、複数のコンセント１０３１、１０３２、１０３３、１０３４と、複数の電流検出手段１０５１、１０５２、１０５３、１０５４と、電圧検出手段１０７と、出力手段１１０と、電力付与手段１１５とを備える。
【００１６】
コンセント１０３１、１０３２、１０３３、１０３４は、少なくとも１つのソケットを含む。図示するように、コンセント１０３１は、２つのソケットを有し、コンセント１０３２、１０３３、１０３４は、それぞれ１つのソケットを含む。これらのコンセント１０３１、１０３２、１０３３、１０３４には、電気を必要とする電気機器が接続され、各コンセントは、電気機器に所要の電力を供給する。
【００１７】
本実施例におけるコンセント１０３１、１０３２、１０３３、１０３４は、可制御コンセント或いは不可制御コンセントである。図に示すように、コンセント１０３４は、可制御コンセントであり、スイッチ手段１１９を含み、処理手段１０１のオン・オフの制御を受け、コンセント１０３４に接続された電気装置に電力を供給するか否かを決定する。なお、スイッチ手段１１９のオン・オフは、他のコンセント１０３１、１０３２、１０３３に影響をあたえない。
【００１８】
電流検出手段１０５１、１０５２、１０５３、１０５４は、ソケット１０３１、１０３２、１０３３、１０３４にそれぞれ接続され、コンセント１０３１、１０３２、１０３３、１０３４に流れた電流値を検出するとともに、切り替え手段１１３により処理手段１０１に伝送する。電流検出手段１０５１、１０５２、１０５３、１０５４をそれぞれ設置することにより、各コンセントの電流値をそれぞれ検出することができる。
【００１９】
電圧検出手段１０７は、入力電源の電圧値を検出する。本実施例では、各コンセント１０３１、１０３２、１０３３、１０３４が並列接続されているので、検出された電圧値は、これらのコンセント１０３１、１０３２、１０３３、１０３４の電圧に相当し、電圧値も同じく処理手段１０１に伝送される。
【００２０】
処理手段１０１は、受信した電圧値と各コンセントの電流値とを演算処理し、コンセント１０３１、１０３２、１０３３、１０３４の個々の電力消費データを得る。電力消費データは、電流、電圧、ワット数、皮相電力、無効電力、給電周波数、パワー係数及び給電時間などを含む。そして、処理手段１０１は、出力手段１１０に電力消費データを伝送する。
【００２１】
出力手段１１０は、例えばユーザに電力消費データを表示する表示手段である。この場合、表示手段は、電源コンセント装置に一体的に設けられても良いが、別途電気的に接続されたスクリーン等であっても良い。或いは、出力手段１１０は、ユーザが整理及び管理できるように、予め設けられた電子装置に無線や有線方式で伝送する通信手段であっても良い。
【００２２】
電源コンセント装置は、さらに、切り替え手段１１３と、電力付与（供給）手段１１５と、入力手段１０２と、保護手段１１７とを含む。切り替え手段１１３は、電流検出手段１０５１、１０５２、１０５３、１０５４と処理手段１０１との間に接続され、処理手段１０１へ伝送する電流値の切り替えを行う。
【００２３】
例えば、切り替え手段１１３は、ある特定周波数で自動的に切り替わるように設定され、電流検出手段１０５１、１０５２、１０５３、１０５４が検出した電流値を、処理手段１０１にリアルタイムで継続的に伝送し、処理手段１０１がリアルタイムの電力消費データを演算して得ることができるように構成されている。また、切り替え手段１１３は、ユーザによって制御されても良く、この場合、ユーザが処理手段１０１に接続された入力手段１０２を用いて、チェックしたいコンセントの電力消費データを自分で選択することができるようにすることで、使用上の利便性の向上を図ることができる。入力手段１０２は、ユーザが入力操作を行なうための手段であって、例えば、切り替え手段１１３が処理手段１０１にどの電流検出手段の電流値を伝送するか、もしくは、切り替え手段１１３の切り替え頻度或いは出力手段１１０の電力消費データの出力や表示等を制御するための手段である。入力手段１０２は、ユーザが予め設けられた電子装置を介して電源コンセント装置を制御する通信手段であっても良い。
【００２４】
上記切り替え手段１１３を設ける事により、電源コンセント装置は、コンセント１０３１、１０３２、１０３３、１０３４ごとに処理手段１０１をそれぞれ設ける必要がなくなり、１つの処理手段１０１を共用する事ができ、電源コンセント装置のコスト抑制やダウンサイジングを図ることができる。
【００２５】
電力付与手段１１５は、入力電源を直流電流に変換するとともに、電源コンセント装置の各手段、例えば、処理手段１０１、出力手段１１０などに直流電流を供給する。保護手段１１７は、電磁干渉フィルタ手段またはスパイク保護手段などであり、電源コンセント装置の電源入力部に設けられている。この保護手段１１７は、不安定な入力電源により電源コンセント装置の各手段が破損することから保護し、電源コンセント装置の安全性を向上させる。
【００２６】
図１Ｂは、本発明に係るマルチソケット用電気検出付き電源コンセント装置の他の実施例を示すブロック図である。図１Ａとの違いは、図１Ｂの切り替え手段１１３が切り替えスイッチまたはマルチプレクサ等価回路となっており、ユーザが切り替え手段１１３の切り替え頻度を手動で制御する点、或いは処理手段１０１にどの電流値を伝送するかの切り替えを任意に選択できる点である。
【００２７】
図２は、本発明に係る電源コンセント装置の電気検出方法の実施例を示すフローチャートである。上述の電源コンセント装置に適用された電気検出方法（マルチソケット用電気検出方法）は、入力電源の電圧値を検出すると共に、各コンセントの電流値を検出すること（Ｓ２０１）と、該電圧値及び電流値に基づいて、コンセントの個々の電力消費データを得る（取得する）こと（Ｓ２０３）と、出力手段にこれらの電力消費データを伝送して出力表示させること（Ｓ２０５）とを含む。なお、電流値は、処理手段に選択的に伝送される（Ｓ２０２）。また、出力表示とは、ユーザに対して、これらの電力消費データを表示すること、或いは、ユーザがこれらの電力消費データを整理及び管理できるように、ユーザが設定した電気機器に前記電力消費データを伝送することなどである。
【００２８】
電源コンセント装置の各コンセントに電流検出手段をそれぞれ設けることで、その電流値を検出し、得られた電圧値と合わせて演算することにより、各コンセントのそれぞれの電力消費データを得ることができ、電源コンセント装置の実用価値を向上することができる。
【００２９】
しかし、上述した説明は、単に本発明の好ましい具体的な実施例の説明及び図面に過ぎず、特許請求の範囲に記載の発明を限定するものではない。また、当該分野における通常の知識を有する者が本発明の技術的思想の範囲内で、変更や修飾などを実施できるが、それらの実施は、特許請求の範囲に記載の発明の技術的範囲に属するものである。
【符号の説明】
【００３０】
１０１              処理手段
１０２              入力手段
１０３１、１０３２、１０３３、１０３４  コンセント
１０５１、１０５２、１０５３、１０５４  電流検出手段
１０７              電圧検出手段
１１０              出力手段
１１３              切り替え手段
１１５              電力付与手段
１１７              保護手段
１１９              スイッチ手段
Ｓ２０１〜Ｓ２０５  フローチャートの各ステップ
【図１Ａ】
2011258174.tif 000003
【図１Ｂ】
2011258174.tif 000004
【図２】
2011258174.tif 000005